(57)【要約】      （修正有）【課題】空気フィルターを必要とせず、有効に空気を浄化し、多種の用途・機能を有する渦巻き液体流空気清浄機を提供する。【解決手段】渦巻き液体流空気清浄機には液体が入れられた空間１１を提供する液体受け皿１が設置される。排気管２は、上へ伸びる中空体を呈し、その底部には下台座２１が設置され、液体受け皿の上端に密封され、下台座における排気管に隣接する周りに多くの空気吸入口２１１が設置され、空気吸入口の片側に下に向けて伸び、横に向けて傾斜する傾斜ガイドプレート／導管２１２が生成される。換気扇３０は排気管内に設置される。空気吸入口が流体空気を吸入することにより生じた渦巻き流が液体受け皿に入れられた液体と摩擦し、渦巻き液体流が生成され、流体空気中におけるほこりまたは液体顆粒などの雑物を液体に吸入し、淨化後の流体空気は換気扇を通過し、排気管から排出される。【選択図】図１
0003233927.tif 000002
【実用新案登録請求の範囲】
【請求項１】
渦巻き液体流空気清浄機であって、
陥凹を呈するように設置され液体が入れられた空間を提供する液体受け皿と、
前記液体受け皿の上端に設置されまた上へ伸びるように中空体を呈し、その底部には下台座が設置され前記液体受け皿の上端に密封され、前記下台座における前記排気管に隣接する周りに多くの空気吸入口が設置され、前記空気吸入口の片側に下に向けて伸びていてまた横に向けて傾斜することにより渦巻き流の傾斜ガイドプレート／導管が生成される排気管と、
前記排気管内に設置される換気扇と、
が含まれており、
前記換気扇による換気により、前記下台座における前記傾斜ガイドプレート／導管を有する前記空気吸入口が流体空気を吸入することにより生じた渦巻き流を前記液体の面または内へ吹き、それにより前記液体受け皿に入れられた前記液体と摩擦し渦巻き液体流が生成され、また前記液体の表面張力を破壊し、それにより前記液体表面が前記流体空気中のほこりまたは液体顆粒などの雑物を吸着する能力を強化し、それにより前記液体の前記ほこりまたは液体顆粒などの雑物に対する吸着力を利用して、前記流体空気中における前記ほこりまたは液体顆粒などの雑物を前記液体受け皿に入れられた前記液体に吸入し、淨化後の前記流体空気は前記換気扇及び前記排気管を通過し排出され、開放的な空間に入り、それにより前記流体空気を浄化する目的を達成することを特徴とする渦巻き液体流空気清浄機。
【請求項２】
前記液体受け皿の液体が入れられた空間に少なくとも一つのフィルターが設置されていることを特徴とする請求項１に記載の渦巻き液体流空気清浄機。
【請求項３】
前記フィルターは下に向けて陥凹を呈する弧状であることを特徴とする請求項２に記載の渦巻き液体流空気清浄機。
【請求項４】
前記排気管に隣接する、上へ伸びる前記中空体または前記排気管に隣接する前記空気吸入口に少なくとも一つの植栽が設置されることを特徴とする請求項１に記載の渦巻き液体流空気清浄機。
【請求項５】
前記排気管内部に殺菌作用を持つ少なくとも一つの紫外線装置が設置されることを特徴とする請求項１に記載の渦巻き液体流空気清浄機。
【請求項６】
前記下台座上端には温度制御室が設置されることを特徴とする請求項１に記載の渦巻き液体流空気清浄機。
【請求項７】
前記温度制御室には前記流体空気の温度を昇降させる少なくとも一つの温度昇降部材が設置されることを特徴とする請求項６に記載の渦巻き液体流空気清浄機。
【請求項８】
前記温度制御室の前記温度昇降部材は加温部材または冷却部材であることを特徴とする請求項７に記載の渦巻き液体流空気清浄機。
【請求項９】
前記温度制御室には前記流体空気の昇降温度を調節するように空調装置が設置されることを特徴とする請求項６に記載の渦巻き液体流空気清浄機。
【考案の詳細な説明】
【技術分野】
【０００１】
本考案は空気清浄機に関するものであり、流体空気を液体受け皿に入れられた液体に吸入することにより渦巻き液体流を生じさせ、また液体のほこりまたは液体顆粒などの雑物に対する吸着力により、ほこりまたは液体顆粒などの雑物を液体に吸入し、それにより流体空気を浄化する目的を達成させ、そして換気扇と排気管を通過する新鮮な流体空気を吹き出す渦巻き液体流空気清浄機に関するものである。
【背景技術】
【０００２】
現在、商工業が著しく発展しており、それにより空気中に各種のエアロゾル及び有害物質が含まれており、職場または家庭の環境を問わず、知らないうちに人々が呼吸時に吸った空気または食べ物から各種の健康を害する因子が累積され、厳重に生活の質に影響し、市場では空気清浄機（エアフィルター）が発明されているが、その多くの従来の空気清浄機（エアフィルター）はいずれも空気フィルターを消耗品として使用しなければならず、そのため、環境保全への配慮がなく、またその構造が複雑で、組み合わせには手間がかかるため、装飾用とすることができずまた外部との接触で生じた酸素による植栽作用が行われないために多種の機能・用途を増やすことができず、それにより実用性は大きく低下し、それは業者及び消費者が積極的に突破しようとする問題点である。
【考案の概要】
【考案が解決しようとする課題】
【０００３】
前記従来の技術が欠けているところを解決するため、本考案の主要な目的は、渦巻き液体流空気清浄機を提供することであり、液体受け皿の上端に排気管が設置されており、また底部に下台座があり、下台座には空気吸入口が設置されまた傾斜ガイドプレート／導管を有し、排気管内に換気扇が設置され、それにより従来の技術における問題点を克服しようとする。
【０００４】
本考案の次の目的は渦巻き液体流空気清浄機を提供することであり、下台座に空気吸入口を有する傾斜ガイドプレート／導管により流体空気に渦巻き流を生じさせ、また液体受け皿に入れられた液体に渦巻き液体流を生じさせ、流体空気中におけるほこりまたは液体顆粒などの雑物を液体に吸入し、それにより空気を淨化する目的を達成し、そして、淨化後の流体空気は換気扇及び排気管を通過し排出され、開放的な空間に入る。
【０００５】
本考案のもう一つの目的は、渦巻き液体流空気清浄機を提供するであり、空気の淨化を有効に引き上げまた多種の用途・機能を有する。
【０００６】
本考案における解決しようとする問題は、現在の商工業が発展しており、それにより空気中に各種のエアロゾル及び有害物質が含まれており、人々が呼吸時に吸った空気または食べ物から各種の健康を害する因子が累積され、厳重に生活の質に影響し、市場では空気清浄機（エアフィルター）が発明されているが、それは空気フィルターを消耗品として使用しなければならないため、環境保全への配慮がなく、またその構造が複雑で、組み合わせには手間がかかるため、装飾とすることができずまた外部との接触で生じた酸素による植栽作用が行われないために多種の機能・用途を増やすことができず、それにより実用性は大きく低下した。
【０００７】
問題を解決する技術手段としては、前記目的を達成するため、本考案は渦巻き液体流空気清浄機を提供することであり、その特徴は下記のものが含まれている。
液体受け皿は陥凹を呈するように液体が入れられた空間を提供する。
排気管は当該液体受け皿の上端に設置されまた上へ伸びるように中空体を呈し、その底部には下台座が設置され当該液体受け皿の上端に密封され、当該下台座における当該排気管に隣接する周りに多くの空気吸入口が設置され、当該空気吸入口の片側に下に向けて伸びていてまた横に向けて傾斜することにより渦巻き流の傾斜ガイドプレート／導管が生成される。
換気扇は当該排気管内に設置される。
【０００８】
当該換気扇による換気を利用して、当該下台座における当該傾斜ガイドプレート／導管を有する当該空気吸入口が流体空気を吸入することにより生じた渦巻き流を当該液体の面または内へ吹き、それにより当該液体受け皿に入れられた当該液体と摩擦し渦巻き液体流が生成され、また当該液体の表面張力を破壊し、それにより当該液体表面が当該流体空気中のほこりまたは液体顆粒などの雑物を吸着する能力を強化し、それにより当該液体の当該ほこりまたは液体顆粒などの雑物に対する吸着力を利用して、当該流体空気中における当該ほこりまたは液体顆粒などの雑物を当該液体受け皿に入れられた当該液体に吸入し、淨化後の当該流体空気は当該換気扇及び当該排気管を通過し排出され、開放的な空間に入り、それにより当該流体空気を浄化する目的を達成する。
好ましくは、本考案における当該液体受け皿における、液体が入っている空間に少なくとも一つのフィルターが設置される。
好ましくは、本考案における当該フィルターは下に向けて陥凹を呈する弧状である。
好ましくは、本考案における当該排気管に隣接する、上へ伸びる当該中空体または当該排気管に隣接する当該空気吸入口に少なくとも一つの植栽が設置される。
好ましくは、本考案における当該排気管内部に殺菌作用を持つ少なくとも一つの紫外線装置が設置される。
好ましくは、本考案における当該下台座上端に温度制御室が設置される。
好ましくは、本考案における当該温度制御室に当該流体空気の温度を昇降させる少なくとも一つの温度昇降部材が設置される。
好ましくは、本考案における当該温度制御室の当該温度昇降部材は加温部材または冷却部材である。
好ましくは、本考案における当該温度制御室には当該流体空気の昇降温度を調節するように空調装置が設置される。
【考案の効果】
【０００９】
従来技術の効果と照合しながら、当該液体受け皿の上端に当該排気管が設置されまた底部に当該下台座を有することにより、当該下台座に当該空気吸入口が設置されまた当該傾斜ガイドプレート／導管を有し、当該排気管内に当該換気扇が設置される。さらに下記の目的を達成し、すなわち当該下台座に当該空気吸入口の当該傾斜ガイドプレート／導管を有することにより当該流体空気に渦巻き流を生成させ、また当該液体受け皿に入れられた当該液体に渦巻き液体流を生成させ、当該流体空気中におけるほこりまたは液体顆粒などの雑物を当該液体に吸入し、それにより空気を淨化する目的を達成し、そして、淨化後の当該流体空気は当該換気扇及び当該排気管を通過し排出され、開放的な空間に入る。空気の浄化を有効に引き上げまた多種の用途・機能を有し、進歩性、実用性と使用者のニーズに合致し、メリットがあることがよくわかる。
【図面の簡単な説明】
【００１０】
【図１】本考案における渦巻き液体流空気清浄機の立体分解図である。
【図２】本考案における渦巻き液体流空気清浄機の立体組合せ図である。
【図３】本考案における渦巻き液体流空気清浄機の組合断面図である。
【図４】本考案の図３における、液体受け皿に液体が設置されまた換気扇により下台座と送風管と流体空気が相互に作用する実施例図である。
【図５】本考案の図３における、当該液体受け皿の液体が入れられた空間にフィルターが設置されまた液体受け皿に液体が設置されまた換気扇と下台座と送風管と流体空気が相互に作用する実施例図である。
【図６】本考案における排気管に隣接する、上へ伸びる中空体に植栽が設置される実施例図である。
【図７】本考案における、排気管内部に紫外線装置が設置される実施例図である。
【図８】本考案における、下台座上端に温度制御室が設置される実施例図である。
【図９】本考案における、温度制御室に温度昇降部材が加温部材である部材が設置される実施例図である。
【図１０】本考案における、温度制御室に温度昇降部材が冷却部材である部材が設置される実施例図である。
【図１１】本考案における、温度制御室に当該流体空気に温度を昇降させる空調装置が接続されている。
【図１２】本考案における、空気吸入口に傾斜ガイドプレート／導管が設置されまた液体表面に設置される実施例図である。
【図１３】本考案における、空気吸入口に傾斜ガイドプレート／導管が設置されまた液体内に設置される実施例図である。
【図１４】本考案における、排気管に隣接する空気吸入口に植栽が設置される実施例図である。
【考案を実施するための形態】
【００１１】
本考案について添付図と照合しながら、また実施例の表現形態により詳細に下記のように説明し、文中に使用される図面の主旨は模式的であり説明書を補足するにすぎず、本考案実施後の実際の比例と精確な配置であるとは限らず、添付した図面の比例と配置関係について、実用新案登録請求の範囲を制限するものではない。
【００１２】
図１、図２、図３、図４、図５及び図６、図７、図８、図９、図１０、図１１及び図１２、図１３及び図１４に示すことは、本考案における渦巻き液体流空気清浄機の立体分解図、本考案における渦巻き液体流空気清浄機の立体組合せ図、本考案における渦巻き液体流空気清浄機の組合断面図、本考案の図３における液体受け皿に液体が設置されておりまた換気扇により下台座と送風管と流体空気が相互に作用する実施例図、本考案の図３における、当該液体受け皿の液体が入れられた空間にフィルターが設置されまた液体受け皿に液体が設置されておりまた換気扇と下台座と送風管と流体空気が相互に作用する実施例図及び本考案における排気管に隣接する、上へ伸びる中空体に植栽が設置される実施例図、本考案における、排気管内部に紫外線装置が設置される実施例図、本考案における、下台座上端に温度制御室が設置される実施例図、本考案における、温度制御室に温度昇降部材が加温部材である部材が設置される実施例図、本考案における、温度制御室に温度昇降部材が冷却部材である部材が設置される実施例図、本考案における、温度制御室に当該流体空気に温度を昇降させる空調装置が接続されていること及び本考案における、空気吸入口に傾斜ガイドプレート／導管が設置されまた液体表面に設置される実施例図、本考案における、空気吸入口に傾斜ガイドプレート／導管が設置されまた液体内に設置される実施例図及び本考案における、排気管に隣接する空気吸入口に植栽が設置される実施例図、本考案の渦巻き液体流空気清浄機の好適な実施例において、その特徴は、液体受け皿１、排気管２、換気扇３０が含まれている。
【００１３】
前記液体受け皿１は陥凹を呈するように液体５という液体が入れられた空間１１（図１〜図１１及び図１２、図１３に示している）が提供される。
【００１４】
前記排気管２は当該液体受け皿１上端に設置されまた上へ伸びるように中空体を呈し、その底部に下台座２１が設置されまた当該液体受け皿１上端に密封され、当該下台座２１に隣接する当該排気管２の周りに多くの空気吸入口２１１が設置され、当該空気吸入口２１１片側に下に向けて伸びてまた横に向けて傾斜し、それにより渦巻き流の傾斜ガイドプレート／導管２１２が生成され、（図１〜図１１または図１２、図１３に示している）、好ましくは、当該図１２は当該傾斜ガイドプレート／導管２１２の管状体を液体表面に設置し、図１３は当該傾斜ガイドプレート／導管２１２の管状体を当該液体内に設置する実施例である。当該液体受け皿１の液体が入れられた空間１１に少なくとも一つのフィルター３３が設置されることができ、本実施例における当該フィルター３３は下に向けて陥凹を呈する弧状であるが、ただしこれにより本考案（図５に示している）を限制すべきでなく、当該排気管２内部に殺菌作用を持つ少なくとも一つの紫外線装置２０（図７に示している）が設置される。
【００１５】
前記換気扇３０は中空体を呈する当該排気管２内（図１〜図４及び図５及び図６〜図１１及び図１２、図１３に示すように）に設置されている。
【００１６】
本考案における当該排気管２に隣接する上へ伸びる当該中空体に少なくとも一つの植栽４（図６に示すように）が設置されまたは本考案における当該排気管２に隣接する当該空気吸入口２１１に少なくとも一つの植栽４（図１４に示している）が設置される。
【００１７】
本考案を使用する場合には、まず当該換気扇３０を起動させまた当該下台座２１における当該傾斜ガイドプレート／導管２１２を有する当該空気吸入口２１１が流体空気６を吸入することにより生じた渦巻き流を当該液体５の面または内へ吹き、それにより当該液体受け皿１に入れられた当該液体５と摩擦し渦巻き液体流が生成され、また当該液体５の表面張力を破壊し、それにより当該液体表面５が当該流体空気６中のほこりまたは液体顆粒などの雑物を吸着する能力を強化し、それにより当該液体の当該ほこりまたは液体顆粒などの雑物に対する吸着力を利用して、当該流体空気６中における当該ほこりまたは液体顆粒などの雑物を当該液体受け皿１に入れられた当該液体５に吸入し、当該ほこりまたは液体顆粒などの雑物は当該液体受け皿１の当該液体５に吸入され、当該渦巻きは当該液体が入れられた空間１１の当該液体５に当該渦巻き液体流を生成させ、従って、当該ほこりまたは液体顆粒などの雑物は当該液体受け皿１に入れられた当該液体５に吸入され、淨化後の当該流体空気６は当該換気扇３０及び当該排気管２を通過し排出され、開放的な空間に入り、それにより当該流体空気６を浄化する目的を達成する（図４に示している）。当該ほこりまたは液体顆粒などの雑物はさらに集中的に当該液体が入れられた空間１１に設置される当該フィルター３３（図５に示すように）に巻き込まれ、当該下台座２１に隣接する当該植栽４に生じた酸素が一緒に吹き出され（図６に示している）、本考案は装飾用途に使用されることができ、本考案の前記構造・設備は多くの従来のエアフィルターに使用されるような空気フィルターを必要とせず、従って環境保全の目的達成に役立つことができる。
【００１８】
図８〜図１１に示すことを参照してください。当該流体空気６の温度を制御できるため、当該下台座２１上端に設置される温度制御室２２（図８に示している）は、温度を昇降させるため、当該温度制御室２２に当該流体空気６の温度を昇降させる少なくとも一つの温度昇降部材２３（図９〜図１１に示すように）が設置され、当該流体空気６を加熱しようとする場合、当該温度昇降部材２３は加温部材２３１（図９に示している）であり、当該流体空気６を冷却しようとする場合、当該温度昇降部材２３は冷却部材２３２（図１０に示している）であり、本実施例における当該冷却部材２３２は半導体冷却部材であり、ただしそれにより本考案を制限すべきでない。そのほか、本考案は当該下台座２１上端の当該温度制御室２２に空調装置２３３が接続されることができ、本実施例において当該空調装置２３３は当該液体受け皿１の外側に設置され、それにより当該流体空気６の温度（図１１に示している）を昇降させる。
これにより、本考案は当該液体受け皿１上端に当該排気管２が設置されまた底部に当該下台座２１を有し、当該下台座２１には当該空気吸入口２１１が設置されまた当該傾斜ガイドプレート／導管２１２が設置されており、当該排気管２内に当該換気扇３０が設置される。さらに下記の目的を達成し、すなわち当該下台座２１に当該空気吸入口２１１の当該傾斜ガイドプレート／導管２１２を有することにより当該流体空気に渦巻き流６を生成させ、また当該液体受け皿１に入れられた当該液体５に渦巻き液体流を生成させ、当該流体空気６中におけるほこりまたは液体顆粒などの雑物を当該液体５に吸入し、それにより空気を淨化する目的を達成し、そして、淨化後の当該流体空気６は当該換気扇３０及び当該排気管２を通過し排出され、開放的な空間に入る。空気の浄化を有効に引き上げまた多種の用途・機能を有し、進歩性、実用性と使用者のニーズに合致し、メリットがあることがよくわかる。
【００１９】
前記実施形態を見てわかるように、本考案は従来の技術構造における問題点を改善し、確実に改善しようとする効果を上げ、また当業者が適宜なし得ることではなく、さらに、本考案は申請前に公開したことがなく、その進歩性、実用性は明らかに新案登録出願の要件を満たしており、法により実用新案登録申請を行うものである。
【００２０】
以上述べた実施例は本考案の技術思想及び特徴を説明したためにすぎず、その目的は当業者が本考案の内容について理解しまたそれにより実施し、本考案の実用新案登録請求の範囲を限定すべきでなく、即ちすべて本考案が掲げた精神に基づいて行われる均等な変化または修飾は依然本考案の実用新案登録請求の範囲に含まれている。
【符号の説明】
【００２１】
１...液体受け皿
１１...液体が入れられた空間
２...排気管
２０...紫外線装置
２１...下台座
２１１...空気吸入口
２１２...傾斜ガイドプレート／導管
２２...温度制御室
２３...温度昇降部材
２３１...加温部材
２３２...冷却部材
２３３...空調装置
３０...換気扇
３３...フィルター
４...植栽
５...液体
６...流体空気
【図１】
0003233927.tif 000003
【図２】
0003233927.tif 000004
【図３】
0003233927.tif 000005
【図４】
0003233927.tif 000006
【図５】
0003233927.tif 000007
【図６】
0003233927.tif 000008
【図７】
0003233927.tif 000009
【図８】
0003233927.tif 000010
【図９】
0003233927.tif 000011
【図１０】
0003233927.tif 000012
【図１１】
0003233927.tif 000013
【図１２】
0003233927.tif 000014
【図１３】
0003233927.tif 000015
【図１４】
0003233927.tif 000016